(57)【要約】【課題】  傾斜姿勢に設置してディスプレイ本体が後方へ押されたとしても、そのディスプレイ本体を背後から支えているスタンド本体が閉じてディスプレイ本体が後方へ倒れ込むという事態の起こることを防ぐ。【解決手段】  ディスプレイ本体１と、ディスプレイ本体１に取り付けられて格納姿勢と作動姿勢との間に開閉されるスタンド本体４とを有するディスプレイ装置に、スタンド本体４を作動姿勢に保持するロック機構７を追加する。ロック機構７は、その係合体７２が、ばね体７３によって常時ロック位置に向けて付勢されている。係合体７に操作つまみ７５を設ける。【選択図】        図１
0003112839.tif 000002
【実用新案登録請求の範囲】
【請求項１】
前向き表示面を有するディスプレイ本体と、このディスプレイ本体に取り付けられたスタンドユニットとを備え、このスタンドユニットが、上記ディスプレイ本体から斜め下向きに張り出して設置面上に傾斜姿勢に載置された上記ディスプレイ本体を背後から支える作動姿勢と、上記ディスプレイ本体の背面に沿う格納姿勢と、の相互間で横軸回りに開閉可能なスタンド本体を有してなるディスプレイ装置において、
上記スタンドユニットが、上記スタンド本体とこのスタンド本体を上記ディスプレイ本体に取り付けている取付け用ベースとを有し、そのスタンド本体が、上記横軸を介して上記ベースに開閉可能に取り付けられたケースと、そのケースから下方に延び出た脚体とを備えていると共に、上記スタンド本体を作動姿勢に保つロック状態と、そのロック状態を解除して上記スタンド本体が作動姿勢と格納姿勢との相互間で開閉動することを許容するロック解除状態とに切換え可能なロック機構が追加されており、
上記ロック機構が、上記ケースの側面に具備された凹入部の内面によって形成されている係止面と、上記スタンド本体が作動姿勢に開かれているときに上記係止面に係合してそのスタンド本体を作動姿勢に保つロック位置とそのロック位置から退避して上記スタンド本体が作動姿勢と格納姿勢との相互間で開閉動することを許容するロック解除位置との間で出退可能に上記ベースにスライド自在に取り付けられた係合体と、この係合体と上記ベースとの間に介在されてこの係合体をそのロック位置に向けて常時弾発付勢するばね体と、上記ケースの側面に具備されて上記スタンド本体が格納姿勢に閉じられているときに上記係合体に当接してその係合体がロック位置に突出することを阻止する受面と、上記係合体に一体に設けられてその係合体をロック位置からロック解除位置に退避させるための操作つまみと、を備えていることを特徴とするディスプレイ装置。
【請求項２】
前向き表示面を有するディスプレイ本体と、このディスプレイ本体に取り付けられたスタンドユニットとを備え、このスタンドユニットが、上記ディスプレイ本体から斜め下向きに張り出して設置面上に傾斜姿勢に載置された上記ディスプレイ本体を背後から支える作動姿勢と、上記ディスプレイ本体の背面に沿う格納姿勢と、の相互間で横軸回りに開閉可能なスタンド本体を有してなるディスプレイ装置において、
作動姿勢に開かれた上記スタンド本体をその作動姿勢に保つロック状態と、そのロック状態を解除して上記スタンド本体が作動姿勢と格納姿勢との相互間で開閉動することを許容するロック解除状態とに切換え可能なロック機構が追加されていることを特徴とするディスプレイ装置。
【請求項３】
上記ロック機構は、上記スタンド本体が格納姿勢から作動姿勢に開かれる動作に連動してロック解除状態からロック状態に切り換わり、かつ、ロック状態からロック解除状態への切り換わりが手動切換え操作を通じて行われるようになっている請求項２に記載したディスプレイ装置。
【請求項４】
上記スタンドユニットが、上記スタンド本体とこのスタンド本体を上記ディスプレイ本体に取り付けている取付け用ベースとを有し、上記ロック機構が、作動姿勢に開かれた上記スタンド本体に係合してその閉動を阻止するロック位置とそのロック位置から退避したロック解除位置との間で出退可能に上記ベースに取り付けられた係合体を備えている請求項３に記載したディスプレイ装置。
【請求項５】
上記係合体がロック位置に向けて常時弾発付勢されていると共に、上記スタンド本体が格納姿勢に閉じられているときに上記係合体に当接してその係合体がロック位置に突出することを阻止する受面が、そのスタンド本体に備わっている請求項４に記載したディスプレイ装置。
【請求項６】
上記係合体をロック位置からロック解除位置に退避操作するための操作つまみを、その係合体に一体に具備させてある請求項４又は請求項５に記載したディスプレイ装置。
【請求項７】
上記スタンド本体が、上記横軸を介して上記ベースに開閉可能に取り付けられたケースと、そのケースから下方に延び出た脚体とを備え、上記ケースに、ロック位置に突出した上記係合体が係合する係止面と、当該ケースの側面によって形成された上記受面とが具備されている請求項５又は請求項６に記載したディスプレイ装置。
【請求項８】
上記係止面が、上記ケース本体の側面に具備させた凹入部の内面によって形成されている請求項７に記載したディスプレイ装置。
【考案の詳細な説明】
【技術分野】
【０００１】
本考案は、ディスプレイ装置、詳しくは、ディスプレイ本体とそのディスプレイ本体に取り付けたスタンドユニットとの両者の押合いによってディスプレイ本体を傾斜姿勢に設置することができるように構成されているディスプレイ装置に関する。
【背景技術】
【０００２】
従来、前向きの液晶表示面を有するディスプレイ本体にスタンドユニットを取り付けることによってそのディスプレイ本体を傾斜させて設置できるようにしたものが提案されている。このものの概略構成を図５（Ａ）を参照して説明する。図５（Ａ）において、１は前向き表示面１２を有するディスプレイ本体、２はスタンドユニットであって、スタンドユニット２は、ディスプレイ本体１の背面に固着された取付け用ベース３と、そのベース３に横軸３１を介して取り付けられたスタンド本体４とを備えている。そして、スタンド本体４は、ディスプレイ本体１から斜め下向きに張り出してテーブル面や床面などの設置面Ｆ上に傾斜姿勢に載置されたディスプレイ本体１を背後から支える作動姿勢と、ディスプレイ本体１の背面に沿う格納姿勢との相互間で上記横軸３１の回りに開閉可能である。なお、図５（Ａ）には、スタンド本体４の作動姿勢を実線で示し、その格納姿勢を仮想線で示してある。
【０００３】
一方、テレビを左右へ回転したり上下に動かして見やすいようにするために、テレビ支持台を左右傾倒可能に構成することと併せて、そのテレビ支持台に俯仰機構を設けることが提案されている（たとえば、特許文献１参照）。そして、この特許文献１によって提案されている俯仰機構は、テレビを収容している固定環側の関節板の複数箇所に歯孔を設ける一方で、その関節板が揺動可能に連結されている支柱側にスプリングによって弾発付勢されたストッパを設け、上記固定環を揺動させることによって上記ストッパが上記関節板のいずれかの歯孔に嵌合して固定環を所望の俯仰角度に保持可能としたものである。
【特許文献１】実開昭６１−８３３８５号公報
【考案の開示】
【考案が解決しようとする課題】
【０００４】
図５（Ａ）を参照して説明したディスプレイ装置では、スタンドユニット２のスタンド本体４を実線で示したように作動姿勢に開いて、そのディスプレイ本体１とスタンド本体４とを設置面Ｆの上に置くと、ディスプレイ本体１とスタンド本体４とが押し合って傾斜姿勢でバランスし、ディスプレイ本体１が一定の傾斜姿勢を保つ。
【０００５】
しかしながら、上記のようにディスプレイ本体１が傾斜姿勢に保たれているとしても、図５（Ａ）の矢印Ｌのようにディスプレイ本体１が何らかの外力で後方へ押されたときに、同図（Ｂ）のようにディスプレイ本体１とスタンド本体４との開き角度が次第に小さく縮小されて押合いのバランスが崩れ、遂には同図（Ｃ）の矢印Ｄのように後方へ倒れ込むという事態が起こり得る。このような状況は、たとえばテーブル面や床面にディスプレイ本体１を傾斜姿勢で設置してその液晶表示面１２の画像を見て楽しんでいるときに、不意に手でそのディスプレイ本体１を後方へ押してしまったようなときに起こり得る。特に、ディスプレイ本体１の下端に近い箇所（設置面Ｆに近い箇所）を押した場合や、設置面Ｆの表面が滑りにくい場合や、スタンド本体４の下端に設置面Ｆに対する滑り止め対策が講じられているような場合には、ディスプレイ本体１が後方へ押されたときに、スタンド本体４がディスプレイ本体１と共に後退せずに格納姿勢に向かって閉じられるようになるために上記のようにディスプレイ本体１が後方へ倒れ込みやすくなる。この状況は、上掲の特許文献１に記載されているような俯仰機構を設けることによっては到底改善されない。
【０００６】
本考案は以上の状況に鑑みてなされたものであり、スタンドユニットのスタンド本体によってディスプレイ本体を背後から支えて両者をバランスさせているときに、ディスプレイ本体が後方へ押されたとしても、それに伴ってスタンド本体が格納姿勢に向かって閉じるという動作が起こり得ないような対策を講じることによって、ディスプレイ本体が後方へ押されたときでも、その傾斜姿勢での設置安定性が確保されてディスプレイ本体の後方への倒れ込みを未然に防止することのできるディスプレイ装置を提供することを目的とする。
【０００７】
また、本考案は、スタンドユニットのスタンド本体を格納姿勢から作動姿勢に開くことによって、スタンド本体が自動的に作動姿勢でロックされるディスプレイ装置を提供することを目的とする。
【０００８】
さらに、本考案は、作動姿勢でロックされているスタンド本体を閉じて格納姿勢にするときに、ロック解除操作を容易に行うことのできるディスプレイ装置を提供することを目的とする。
【課題を解決するための手段】
【０００９】
本考案に係るディスプレイ装置は、前向き表示面を有するディスプレイ本体と、このディスプレイ本体に取り付けられたスタンドユニットとを備え、このスタンドユニットが、上記ディスプレイ本体から斜め下向きに張り出して設置面上に傾斜姿勢に載置された上記ディスプレイ本体を背後から支える作動姿勢と、上記ディスプレイ本体の背面に沿う格納姿勢と、の相互間で横軸回りに開閉可能なスタンド本体を有している。そして、作動姿勢に開かれた上記スタンド本体をその作動姿勢に保つロック状態と、そのロック状態を解除して上記スタンド本体が作動姿勢と格納姿勢との相互間で開閉動することを許容するロック解除状態とに切換え可能なロック機構が追加されている。
【００１０】
この構成であれば、ロック機構がロック状態に切り換わっているときにスタンド本体が作動姿勢に保たれる。このロック状態では、傾斜姿勢のディスプレイ本体が設置面上で後方へ押されたときに、スタンド本体が閉じずにディスプレイ本体と共に設置面上で後方へ移動したりしてディスプレイ本体の傾斜姿勢での設置安定性を保ち、併せて安全性も確保される。また、ロック機構がロック解除状態に切り換わっているときには、スタンド本体を格納姿勢と作動姿勢との間で開閉動させることができるので、スタンド本体を格納姿勢に閉じてディスプレイ本体を片づけたり、スタンド本体を作動姿勢に開いてディスプレイ本体を傾斜姿勢で置いておくことが可能になる。
【００１１】
本考案において、上記ロック機構は、上記スタンド本体が格納姿勢から作動姿勢に開かれる動作に連動してロック解除状態からロック状態に切り換わり、かつ、ロック状態からロック解除状態への切り換わりが手動切換え操作を通じて行われるようになっている、という構成を採用することが可能であり、これによれば、スタンド本体を格納姿勢から作動姿勢に開くことによって、スタンド本体が自動的に作動姿勢でロックされるようになる。
【００１２】
本考案では、上記スタンドユニットが、上記スタンド本体とこのスタンド本体を上記ディスプレイ本体に取り付けている取付け用ベースとを有し、上記ロック機構が、作動姿勢に開かれた上記スタンド本体に係合してその閉動を阻止するロック位置とそのロック位置から退避したロック解除位置との間で出退可能に上記ベースに取り付けられた係合体を備えている、という構成を採用することが望ましい。これによれば、構成が簡単で動作状態の分かりやすい使い勝手に優れたロック機構が得られる。
【００１３】
本考案では、上記係合体がロック位置に向けて常時弾発付勢されていると共に、上記スタンド本体が格納姿勢に閉じられているときに上記係合体に当接してその係合体がロック位置に突出することを阻止する受面が、そのスタンド本体に備わっていることが望ましい。これによると、スタンド本体を格納姿勢から作動姿勢に開くことによって、スタンド本体を自動的に作動姿勢でロックさせるための具体的構成が得られる。
【００１４】
本考案では、上記係合体をロック位置からロック解除位置に退避操作するための操作つまみを、その係合体に一体に具備させてあることが望ましい。これによれば、操作つまみを手動操作することによって、ロック機構をロック状態からロック解除状態に切り換えることができるようになる。
【００１５】
本考案では、上記スタンド本体が、上記横軸を介して上記ベースに開閉可能に取り付けられたケースと、そのケースから下方に延び出た脚体とを備え、上記ケースに、ロック位置に突出した上記係合体が係合する係止面と、当該ケースの側面によって形成された上記受面とが具備されている、という構成を採用することが可能である。この構成では、係止面と受面とがケースの側面に形成されているために、ケースが大形化するおそれがなくなり、そのことが、スタンドユニットをコンパクトに形作ることに役立つ。この作用は、上記係止面が、上記ケース本体の側面に具備させた凹入部の内面によって形成されている、という構成を採用することによっていっそう顕著に発揮される。
【００１６】
本考案に係るディスプレイ装置は、前向き表示面を有するディスプレイ本体と、このディスプレイ本体に取り付けられたスタンドユニットとを備え、このスタンドユニットが、上記ディスプレイ本体から斜め下向きに張り出して設置面上に傾斜姿勢に載置された上記ディスプレイ本体を背後から支える作動姿勢と、上記ディスプレイ本体の背面に沿う格納姿勢と、の相互間で横軸回りに開閉可能なスタンド本体を有してなるディスプレイ装置において、上記スタンドユニットが、上記スタンド本体とこのスタンド本体を上記ディスプレイ本体に取り付けている取付け用ベースとを有し、そのスタンド本体が、上記横軸を介して上記ベースに開閉可能に取り付けられたケースと、そのケースから下方に延び出た脚体とを備えていると共に、上記スタンド本体を作動姿勢に保つロック状態と、そのロック状態を解除して上記スタンド本体が作動姿勢と格納姿勢との相互間で開閉動することを許容するロック解除状態とに切換え可能なロック機構が追加されており、上記ロック機構が、上記ケースの側面に具備された凹入部の内面によって形成されている係止面と、上記スタンド本体が作動姿勢に開かれているときに上記係止面に係合してそのスタンド本体を作動姿勢に保つロック位置とそのロック位置から退避して上記スタンド本体が作動姿勢と格納姿勢との相互間で開閉動することを許容するロック解除位置との間で出退可能に上記ベースにスライド自在に取り付けられた係合体と、この係合体と上記ベースとの間に介在されてこの係合体をそのロック位置に向けて常時弾発付勢するばね体と、上記ケースの側面に具備されて上記スタンド本体が格納姿勢に閉じられているときに上記係合体に当接してその係合体がロック位置に突出することを阻止する受面と、上記係合体に一体に設けられてその係合体をロック位置からロック解除位置に退避させるための操作つまみと、を備えている、という構成を採用することによっていっそう具体化される。この考案の作用は後述する実施形態を参照して詳細に説明する。
【考案の効果】
【００１７】
本考案によれば、ロック状態のロック機構がスタンド本体の作動姿勢を保つので、そのスタンド本体でディスプレイ本体を傾斜姿勢に設置しているときにディスプレイ本体が後方へ押されたとしても、スタンド本体が格納姿勢に向けて閉じて設置安定性や安全性が損なわれるという事態やディスプレイ本体が後方へ倒れ込んでしまうというような事態が起こらない。そのため、ユーザがディスプレイ本体を不慮に手で押したような場合に、ディスプレイ本体が後方へ倒れて番組を楽しむことができなくなったり、ディスプレイ本体が倒れた衝撃で損傷を受けたり故障したりすることがなくなる。
【００１８】
また、スタンド本体を格納姿勢から作動姿勢に開くことによって、スタンド本体が自動的に作動姿勢でロックされるように構成したものでは、ユーザがスタンド本体を作動姿勢に開いてからロック機構を手動でロック状態にするという手間が不要になるので、ロックのし忘れが原因でディスプレイ本体が後方へ倒れ込むという事態が未然に防止される。
【００１９】
さらに、本考案のディスプレイ装置では、ロック機構に、ベースに取り付けられた係合体を含ませることによってそのロック機構の構成を容易に簡素化することができるため、ロック機構の組付けを簡単に行うことができるようになる。したがって、ロック機構を追加したものであるとしても、ディスプレイ装置の量産性が損なわれることはない。
【考案を実施するための最良の形態】
【００２０】
図１は本考案の実施形態に係るディスプレイ装置を背面側から見た概略斜視図、図２（Ａ）（Ｂ）はスタンドユニット２のスタンド本体４を格納姿勢と作動姿勢とに位置決めするための機構を説明するための一部破断概略側面図、図３はケース４１の概略外観斜視図、図４（Ａ）（Ｂ）はロック機構７の構成及び作用を説明するための断面図である。
【００２１】
図１のように、ディスプレイ装置は、前向き表示面を形成している液晶モジュールを備えた偏平なディスプレイ本体１の背部にスタンドユニット２を取り付けてなる。スタンドユニット２は、図２（Ａ）（Ｂ）に示した取付け用ベース３を備えていて、このベース３がディスプレイ本体１の背部にビス止めされている。さらに、スタンドユニット２は、上記ベース３に横軸３１を介して取り付けられたケース４１とそのケース４１から下方に延び出た脚体４７とを有するスタンド本体４を備えていて、このスタンド本体４が、ディスプレイ本体１の背部でそのディスプレイ本体１から斜め下向きに張り出して、設置面（不図示）上に傾斜姿勢に載置されたディスプレイ本体１を背後から支える作動姿勢（図５（Ａ）に実線で示した姿勢）と、ディスプレイ本体１の背部に形成された凹所１３（図１参照）に収納されてそのディスプレイ本体１の背面に沿う格納姿勢（図５（Ａ）に仮想線で示した姿勢）との相互間で上記横軸３１の回りに開閉可能になっている。
【００２２】
そして、図２（Ａ）（Ｂ）のように、ベース３の上端部には、横軸３１の近傍箇所に位置する弾性を有する凸形の係合部６１が形成されているのに対し、上記ケース４１の頂部で上記係合部６１との対向箇所には山形カム部６２が形成されている。そして、スタンド本体４が格納姿勢に閉じているときには、図２（Ａ）のように、ケース４１の山形カム部６２にベース３側の係合部６１が弾圧してそのスタンド本体４が閉じる方向に付勢されている。これに対し、スタンド本体４が作動姿勢に開いているときには、図２（Ｂ）のように、ケース４１の山形カム部６２に隣接して形成されている凹所６３がベース３側の係合部６１に対向することにより、その山形カム部６２が係合部６１に係合してスタンド本体４が作動姿勢に保持されるようになっている。したがって、このスタンドユニット２は、スタンド本体４を、格納姿勢に閉じた位置と作動姿勢に開いた位置との２位置の相互間で人為的に開閉動することが可能であると共に、格納姿勢や作動姿勢では、スタント本体４がそのときの姿勢のまま保たれる機能を備えている。また、スタンド本体４の開閉動は、ユーザ自身の力で手を使って行うことができるようになっている。なお、脚体４７はケース４１に対して出退可能になっていて、その脚体４７をケース４１に対して突出させたときと後退させたときとでは、脚体４７の有効長が変化してディスプレイ本体１の傾斜角度を変えることができるようになっている。
【００２３】
次に、図１、図３又は図４を参照してロック機構７を説明する。図例のロック機構７は、ケース４１の側面４２に具備された三角形状の凹入部４３の内面によって形成されている係止面７１と、ベース１にスライド自在に取り付けられた係合体７２と、この係合体７２とベース１との間に介在されてこの係合体２を後述するロック位置に向けて常時弾発付勢するコイルばねでなるばね体７３と、ケース４１の側面４２に具備されてスタンド本体４が格納姿勢に閉じられているときに係合体７２に当接してその係合体７２がロック位置に突出することを阻止する受面７４と、係合体７２に一体に設けられてその係合体７２をロック位置から後述するロック解除位置に退避させるための操作つまみ７５と、を備えている。ここで、係合体２についてのロック位置とは、スタンド本体４が図４（Ｂ）のように作動姿勢に開かれているときに、同図のように凹入部４３内で係止面７１に係合してそのスタンド本体４を作動姿勢に保つ位置のことである。また、ロック解除位置とは、係合体２がロック位置から退避してスタンド本体４が作動姿勢と格納姿勢との相互間で開閉動することを許容する位置のことである。
【００２４】
以上のように構成されているディスプレイ装置において、スタンド本体４を作動姿勢に開いて図５（Ａ）のようにディスプレイ本体１とスタンド本体４とを設置面Ｆの上に置くと、ディスプレイ本体１とスタンド本体４とが押し合って傾斜姿勢でバランスし、ディスプレイ本体１が一定の傾斜姿勢を保つ。しかも、ロック機構７の係合体７２が図４（Ｂ）のようにロック位置に突出してケース４１の凹入部４３に入り込むと共に、その凹入部４３の内面である係止面７１に係合してスタンド本体４を作動姿勢に保つ。ロック状態である。このため、仮に図５（Ａ）の矢印Ｌのようにディスプレイ本体１が何らかの外力で後方へ押されたとしても、スタンド本体４が格納姿勢に向かって閉じるというような事態が起こらない。したがって、ディスプレイ本体１が押されて後方へ移動しても、スタンド本体４は閉じることなくスタンド本体１と共に設置面Ｆ上で滑って後方へ移動する。このようにしてディスプレイ本体１の設置安定性と安全性が保たれるので、ディスプレイ本体１が後方へ倒れ込んでユーザがディスプレイ本体１の表示面を見ることができなくなったり、ディスプレイ本体１が倒れ込んだ衝撃で損傷したり故障したりすることがなくなる。
【００２５】
また、スタンド本体４を格納姿勢から作動姿勢に開くときには、スタンド本体４が格納姿勢に閉じているときにケース４１の受面７４に当接してロック解除位置に保持されている係合体７２が、スタンド本体４を開く動作に伴ってケース４１の側面４２を滑り、スタンド本体４が作動姿勢にまで開いたときにばね体７３の付勢力で自動的にロック位置に突出するので、ユーザはスタンド本体４を開く動作を行うだけで済み、ロックのし忘れによって上記したようなディスプレイ本体１の倒れ込みが起こることが未然に防止される。
【００２６】
次に、スタンド本体４を格納するときには、ロック機構７の操作つまみ７５を手の指で動かし、係合体７２をばね体７３の付勢に抗してロック位置からロック解除位置に後退させた後、スタンド本体４を作動姿勢から格納姿勢に閉じる。こうしてスタンド本体４を閉じると、ばね体７３によって付勢されている係合体７２が図４（Ａ）のようにケース４１の受面７４に当接してロック解除状態が保たれる。
【００２７】
この実施形態では、ロック機構７が、ケース４１側の係止面７１と、ベース１にスライド自在に取り付けられて操作つまみ７５が手動操作可能な箇所に突出された係合体７２と、コイルばねでなるばね７３と、ケース４１側の受面７４とによって形成されていて、係止面７１と受面７４とがケース４１の側面に具備されているので、ロック機構７を設けることによってケース４１が大形化することはなく、また、ロック機構７自体の構成もきわめて簡単なものであるために、ロック機構７を設けることにことによってディスプレイ装置の量産性が損なわれることはない。
【００２８】
なお、図１〜図５では、同一又は相応する部分に同一符号を付してある。
【図面の簡単な説明】
【００２９】
【図１】本考案の実施形態に係るディスプレイ装置を背方側から見た概略斜視図である。
【図２】（Ａ）はスタンドユニットのスタンド本体を格納姿勢に閉じた状態の一部破断概略側面図、（Ｂ）は同スタンド本体を作動姿勢に開いた状態の一部破断概略側面図である。
【図３】ケースの外観斜視図である。
【図４】（Ａ）はロック解除状態でのロック機構の構成及び作用を説明するための断面図、（Ｂ）はロック状態でのロック機構の構成及び作用を説明するための断面図である。
【図５】（Ａ）（Ｂ）（Ｃ）は傾斜姿勢に設置したディスプレイ本体が押されたときに起こり得る状況の説明図である。
【符号の説明】
【００３０】
１  ディスプレイ本体
２  スタンドユニット
３  ベース
４  スタンド本体
７  ロック機構
１２  表示面
３１  横軸
４１  ケース
４３  凹入部
４７  脚体
７１  係止面
７２  係合体
７３  ばね体
７４  受面
７５  操作つまみ
【図１】
0003112839.tif 000003
【図２】
0003112839.tif 000004
【図３】
0003112839.tif 000005
【図４】
0003112839.tif 000006
【図５】
0003112839.tif 000007